(57)【要約】      （修正有）【課題】ヒンジ装置を取り付ける取付対象物側に該取付対象物及びヒンジ装置を所定位置に係止する係止機構を省略可能にして、ヒンジ装置を取り付けた取付対象物の外観を整える。【解決手段】第１取付部２と、第２取付部３と、第１当接面２ａと第２当接面３ａとがともに同一方向を向く全閉姿勢Ｓと第１当接面２ａと第２当接面３ａとが対向する全開姿勢Ｏとの間で第１取付部２及び第２取付部３を仮想中心の周りに回動可能に接続するリンク機構４とを具備するヒンジ装置１において、リンク機構４を、全閉姿勢Ｓをとる場合に第１取付部２及び第２取付部３に対して全閉姿勢Ｓから全開姿勢Ｏへの移動方向と逆となる側に位置させ、該リンク機構４に一部の動きが規制されることにより全体の動きが規制される構成を採用しているとともに、このリンク機構４の一部の動きを規制することにより該リンク機構４を所定位置に保持可能な保持機構５を具備させる。【選択図】図４
2005264631.tif 000002
【特許請求の範囲】
【請求項１】
第１の取付対象物に当接可能な第１当接面を有する第１取付部と、第２の取付対象物に当接可能な第２当接面を有する第２取付部と、第１当接面と第２当接面とがともに同一方向を向く全閉姿勢と第１当接面と第２当接面とが対向する全開姿勢との間で前記第１取付部及び第２取付部を仮想中心の周りに回動可能に接続するリンク機構とを具備するものであって、
前記リンク機構を、前記全閉姿勢をとる場合に前記第１取付部及び第２取付部に対して前記全閉姿勢から前記全開姿勢への移動方向と逆となる側に位置させ、該リンク機構に一部の動きが規制されることにより全体の動きが規制される構成を採用しているとともに、
このリンク機構の一部の動きを規制することにより該リンク機構を所定位置に保持可能な保持機構をさらに具備することを特徴とするヒンジ装置。
【請求項２】
前記全閉姿勢又は全開姿勢に向けて前記リンク機構を付勢する付勢手段を前記保持機構に備えていることを特徴とする請求項１記載のヒンジ装置。
【請求項３】
リンク機構を押圧することにより前記全閉姿勢又は全開姿勢からの移動を規制する機能を前記付勢手段が有することを特徴とする請求項２記載のヒンジ装置。
【請求項４】
前記全閉姿勢又は全開姿勢に向かう移動をリンク機構を押圧することにより促す機能を前記付勢手段が有することを特徴とする請求項２又は３記載のヒンジ装置。
【請求項５】
前記リンク機構にカム面を形成しているとともに、前記付勢手段にせつぞくされ前記カム面に当接することにより前記リンク機構を全閉姿勢及び全開姿勢に誘導ないし保持する当接部をさらに有することを特徴とする請求項２、３又は４記載のヒンジ装置。
【請求項６】
前記当接部が平面状に形成した当接面を有するとともに、前記カム面の一部に前記当接面と面的に当接可能な平面部を形成していることを特徴とする請求項５記載のヒンジ装置。
【請求項７】
前記リンク機構が、一端部を第１取付部に枢着してなる第１リンクメンバと、一端部を第２取付部に枢着してなるとともに他端部を前記第１リンクメンバの他端部に枢着してなる第２リンクメンバと、一端部を第２取付部に枢着してなる第３リンクメンバと、一端部を第１取付部に枢着してなるとともに他端部を前記第３リンクメンバの他端部に枢着してなる第４リンクメンバとを有するとともに、前記第２及び第４リンクメンバの中間部を互いに枢着していることを特徴とする請求項１、２、３、４、５又は６記載のヒンジ装置。
【請求項８】
前記保持機構が前記第１リンクメンバの移動を規制し、前記全閉姿勢及び前記全開姿勢に保持する第１リンクメンバ保持部を有することを特徴とする請求項７記載のヒンジ装置。
【請求項９】
前記第１リンクメンバ保持部が、前記第１リンクメンバに形成したカム面と、全閉姿勢及び全開姿勢に付勢する付勢手段と、前記カム面に当接し前記付勢手段に接続された当接部とを有することを特徴とする請求項８記載のヒンジ装置。
【請求項１０】
前記保持機構が前記第１リンクメンバの移動を規制し、前記全閉姿勢及び前記全開姿勢の少なくとも一方に保持するする第１リンクメンバ保持部と、前記第３リンクメンバの移動を規制し、前記全閉姿勢及び前記全開姿勢の少なくとも他方に保持する第３リンクメンバ保持部とを有することを特徴とする請求項９記載のヒンジ装置。
【請求項１１】
前記第１リンクメンバ保持部が、前記第１リンクメンバに形成したカム面と、前記全閉姿勢又は全開姿勢の少なくとも一方に付勢する付勢手段と、前記カム面に当接し前記付勢手段に接続された当接部とを有するとともに、前記第３リンクメンバ保持部が、前記第３リンクメンバに形成したカム面と、前記全閉姿勢及び前記全開姿勢の少なくとも他方に付勢する付勢手段と、前記カム面に当接し前記付勢手段に接続された当接部とを有することを特徴とする請求項１０記載のヒンジ装置。
【請求項１２】
前記第１リンクメンバと前記第３リンクメンバとを同一形状の部品により構成しているとともに、前記第２リンクメンバと前記第４リンクメンバとを同一形状の部品により構成していることを特徴とする請求項７、８、９、１０又は１１記載のヒンジ装置。
【請求項１３】
前記第２リンクメンバの中間部と前記第４リンクメンバの中間部とを枢着する中間枢着軸を通り、かつ前記第１取付部と前記第２取付部との中間を通る線に対称な平面形状を維持しつつ移動可能な構成を有することを特徴とする請求項７、８、９、１０、１１又は１２記載のヒンジ装置。
【請求項１４】
前記全閉姿勢において、第１取付部及び第２取付部の全体を、それぞれ第１の取付対象物及び第２の取付対象物の厚さ寸法内に位置させていることを特徴とする請求項１、２、３、４、５、６、７、８、９、１０、１１、１２又は１３記載のヒンジ装置。
【請求項１５】
前記第１の取付対象物が、所定の空間の内部を外部と仕切る機能を有する第１の戸板であるとともに、前記第２の取付対象物が、所定の空間の内部を外部と仕切る機能を有し前記第１の戸板に幅方向に隣接して設けられる第２の戸板であり、前記第１取付部を前記第１の戸板の後方、前記第２取付部を前記第２の戸板の後方にそれぞれ取り付けるようにしていることを特徴とする請求項１、２、３、４、５、６、７、８、９、１０、１１、１２、１３又は１４記載のヒンジ装置。
【請求項１６】
前記リンク機構を形成するリンクメンバがそれぞれ単一の部品により構成される剛体であるとともに、前記第２の取付対象物の自重により変形しない程度の剛性を有することを特徴とする請求項１、２、３、４、５、６、７、８、９、１０、１１、１２、１３、１４又は１５記載のヒンジ装置。
【請求項１７】
前記第１取付部及び前記第２取付部が、前記リンク機構を形成するリンクメンバを枢着するリンクメンバ支持軸と、前記リンクメンバ支持軸を収納するハウジングとを有するとともに、前記保持機構を前記ハウジング内に収納してなることを特徴とする請求項１、２、３、４、５、６、７、８、９、１０、１１、１２、１３、１４、１５又は１６記載のヒンジ装置。
【発明の詳細な説明】
【技術分野】
【０００１】
本発明は、２つの取付対象物を接続するヒンジ装置に関する。
【背景技術】
【０００２】
従来、所定の空間の内部を外部と仕切る機能を有し、幅方向に隣接して設けられる２枚の戸板を、一方の戸面と他方の戸板の外面とが略又は完全に面一となる全閉姿勢と、これら２枚の戸板の外面が対向する全開姿勢との間で移動可能に支持するヒンジ装置としては、これら２枚の戸板の境界の外面側に取り付けられてこれら２枚の戸板を接続するものが広く用いられてきた。
【０００３】
これに対して、ヒンジ装置が外部に露出することに伴い外観が損なわれる不具合を解消すべく、前記隣接する戸板の互いに対向する側面に埋設して取り付け可能なヒンジ装置が考えられている。（例えば特許文献１を参照。）
【特許文献１】特開平５−１１３０６８号公報
【発明の開示】
【発明が解決しようとする課題】
【０００４】
ところが、特許文献１には、前記２枚の戸板を全開姿勢に保持するための機構については述べられていない。そこで、前記機構をこれら戸板の板面に設ける必要がある。すなわち、前記機構が外部に露出することになるので、上述した不具合の解決策としては不完全である。
【０００５】
一方、前記２枚の戸板を前記全閉姿勢又は全開姿勢に保持する機構としては、ヒンジ機構内部に係止機構を備えるものが考えられている。しかし、このような構成では、ヒンジ機構が外部に露出しているので、この構成をこのまま用いたのでは上述した不具合の解決策としては不完全である。
【０００６】
本発明は、以上に述べた課題を解決し、外観を損なうことなく２枚の戸板を前記全閉姿勢又は全開姿勢に保持可能なヒンジ機構を提供するものである。
【課題を解決するための手段】
【０００７】
すなわち、本発明に係るヒンジ装置は、第１の取付対象物に当接可能な第１当接面を有する第１取付部と、第２の取付対象物に当接可能な第２当接面を有する第２取付部と、第１当接面と第２当接面とがともに同一方向を向く全閉姿勢と第１当接面と第２当接面とが対向する全開姿勢との間で前記第１取付部及び第２取付部を仮想中心の周りに回動可能に接続するリンク機構とを具備するものであって、前記リンク機構を前記第１取付部及び第２取付部に対して前記全閉姿勢をとる際の前記全閉姿勢から前記全開姿勢への移動方向と逆側に位置させ、該リンク機構に一部の動きが規制されることにより全体の動きが規制される構成を採用しているとともに、このリンク機構の一部の動きを規制することにより該リンク機構を所定位置に保持可能な保持機構をさらに具備することを特徴とする。
【０００８】
このようなものであれば、保持機構の作用により所定位置に保持されるので、取付対象物の外面側に取付対象物を所定位置に保持するための機構を設ける必要がなくなる。すなわち前記リンク機構を前記全閉姿勢をとる際の前記全閉姿勢から前記全開姿勢への移動方向と逆側に位置させていることとあわせて、このようなヒンジ装置により接続された２枚の戸板を有する扉等の取付対象物の外観を整えることができる。なお、「仮想中心の周りに回動可能」とは、リンク機構を構成するリンクメンバ間を枢着した部位以外の箇所を中心として回動可能であることを示す。
【０００９】
前記隣接する戸板を全閉姿勢又は全開姿勢に効果的に保持するための態様として、前記全閉姿勢又は全開姿勢に向けて前記リンク機構を付勢する付勢手段を前記保持機構に備えているものが挙げられる。
【００１０】
特に、前記全閉姿勢又は全開姿勢からの移動をリンク機構を押圧することにより規制する機能を前記付勢手段が有するものであれば、前記リンク機構の移動を前記付勢手段の作用により規制し、前記リンク機構を効果的に全閉姿勢又は全開姿勢に効果的に保持することができる。
【００１１】
また、前記全閉姿勢又は全開姿勢に向かう移動をリンク機構を押圧することにより促す機能を前記付勢手段が有するものであれば、前記付勢手段の作用により、全閉姿勢により近い姿勢であれば全閉姿勢に、全開姿勢により近い姿勢であれば全開姿勢に向けて前記リンク機構が誘導されるので、このようなヒンジ装置を介して接続した取付対象物の移動にクリック感を与えることができる。
【００１２】
上述したような付勢手段を実現するための態様として、前記リンク機構にカム面を形成しているとともに、前記付勢手段に接続され前記カム面に当接することにより前記リンク機構を全閉姿勢及び全開姿勢に誘導ないし保持する当接部をさらに有するものが挙げられる。
【００１３】
特に、前記当接部が平面状に形成した当接面を有するとともに、前記カム面の一部に前記当接面と面的に当接可能な平面部を形成しているものであれば、前記全閉姿勢及び全開姿勢にある場合に前記平面部が前記当接部に面的に当接するので、前記平面部及び前記当接部を介して上述した付勢手段による作用を効果的に前記リンク機構に伝えることができる。
【００１４】
一部の動きが規制されることにより全体の動きが規制される構成を有するリンク機構を実現するための態様として、前記リンク機構が、一端部を第１取付部に枢着してなる第１リンクメンバと、一端部を第２取付部に枢着してなるとともに他端部を前記第１リンクメンバの他端部に枢着してなる第２リンクメンバと、一端部を第２取付部に枢着してなる第３リンクメンバと、一端部を第１取付部に枢着してなるとともに他端部を前記第３リンクメンバの他端部に枢着してなる第４リンクメンバとを有するとともに、前記第２及び第４リンクメンバの中間部を互いに枢着しているものが挙げられる。このようなものであれば、前記第２及び第４リンクメンバの中間部を互いに枢着することにより第１取付部と第２取付部とが離間することを防いでいるので、第１リンクメンバを回転運動させることにより第２〜第４リンクメンバの第１リンクメンバに対する相対位置が一意的に定まり、このリンク機構が拘束連鎖となるからである。
【００１５】
前段で述べたリンク機構を前記全閉姿勢及び前記全開姿勢に保持させるための態様として、前記保持機構が前記第１リンクメンバの移動を規制し、前記隣接する戸板を前記全閉姿勢及び前記全開姿勢に保持する第１リンクメンバ保持部を有するものが挙げられる。
【００１６】
特に、前記第１リンクメンバ保持部が、前記第１リンクメンバに形成したカム面と、前記全閉姿勢及び全開姿勢に付勢する付勢手段と、前記カム面に当接し前記付勢手段に接続された当接部とを有するものであれば、前記付勢手段の作用を前記当接板及び前記カム面を介してリンク機構に伝え、リンク機構の動きを規制して前記全閉姿勢及び全開姿勢に保持することや、リンク機構に作用を与えて全閉姿勢及び全開姿勢に向けて誘導することができるようになる。
【００１７】
また、上述したリンク機構を前記全閉姿勢及び前記全開姿勢に保持させるための他の態様として、前記保持機構が前記第１リンクメンバの移動を規制し、前記全閉姿勢及び前記全開姿勢の少なくとも一方に保持するする第１リンクメンバ保持部と、前記第３リンクメンバの移動を規制し、前記全閉姿勢及び前記全開姿勢の少なくとも他方に保持する第３リンクメンバ保持部とを有するものが挙げられる。
【００１８】
特に、前記第１リンクメンバ保持部が、前記第１リンクメンバに形成したカム面と、前記全閉姿勢又は全開姿勢の少なくとも一方に付勢する付勢手段と、前記カム面に当接し前記付勢手段に接続された当接部とを有するとともに、前記第３リンクメンバ保持部が、前記第３リンクメンバに形成したカム面と、前記全閉姿勢及び前記全開姿勢の少なくとも他方に付勢する付勢手段と、前記カム面に当接し前記付勢手段に接続された当接部とを有するものであれば、例えば第１リンクメンバ保持部と第３リンクメンバ保持部とにより同時にリンク機構に作用を与えて前記全閉姿勢及び前記全開姿勢に強く保持することや、第１リンクメンバ保持部によりリンク機構に作用を与えて前記全閉姿勢に保持するとともに第３リンクメンバ保持部によりリンク機構に作用を与えて前記全開姿勢に保持することが実現できる。
【００１９】
このようなヒンジ装置の製造コストを低減させることができる構成の一例として、前記第１リンクメンバと前記第３リンクメンバとを同一形状の部品により構成しているとともに、前記第２リンクメンバと前記第４リンクメンバとを同一形状の部品により構成しているものが挙げられる。このように構成すれば、部品を共通化し、構造を簡単なものにすることができるからである。
【００２０】
特に、前記第２リンクメンバの中間部と前記第４リンクメンバの中間部とを枢着する中間枢着軸を通り、かつ前記第１取付部と前記第２取付部との中間を通る線に対称な平面形状を維持しつつ移動可能な構成を有するものであれば、リンクメンバだけでなく、第１取付部と第２取付部とをも同一形状の部品により構成し、さらに保持機構が上述した第１リンクメンバ保持部及び第３リンクメンバ保持部を有するものであればこれらも同一形状に構成することができ、設計を単純にし、さらなるコストダウンを図ることができる。
【００２１】
外観をさらに効果的に整えるための態様として、前記全閉姿勢において、第１取付部及び第２取付部の全体を、それぞれ第１の取付対象物及び第２の取付対象物の厚さ寸法内に位置させているものが挙げられる。このようなものであれば、全閉位置においてヒンジ機構を第１及び第２の取付対象物により隠蔽することができるからである。
【００２２】
このようなヒンジ機構を好適に用いることができる態様として、前記第１の取付対象物が、所定の空間の内部を外部と仕切る機能を有する第１の戸板であるとともに、前記第２の取付対象物が、所定の空間の内部を外部と仕切る機能を有し前記第１の戸板に幅方向に隣接して設けられる第２の戸板であり、前記第１取付部を前記第１の戸板の後方、前記第２取付部を前記第２の戸板の後方にそれぞれ取り付けるようにしているものが挙げられる。
【００２３】
構造を単純化するとともにこのようなヒンジ装置を取り付けた取付対象物の外観を整えることができる態様として、前記リンク機構を形成するリンクメンバがそれぞれ単一の部品により構成される剛体であるとともに、前記第２の取付対象物の自重により変形しない程度の剛性を有するものが挙げられる。このようなものであれば、リンクメンバ自体に第２の取付対象物の自重を支持させることができるので、別途第２の付対象物の自重を支持するための機構を設ける必要がないからである。
【００２４】
取付対象物への取付を容易にする態様として、前記第１取付部及び前記第２取付部が、前記リンク機構を形成するリンクメンバを枢着するリンクメンバ支持軸と、前記リンクメンバ支持軸を収納するハウジングとを有するとともに、前記保持機構を前記ハウジング内に収納してなるものが挙げられる。このようなものであれば、前記ハウジングに前記保持機構を収納し、前記リンクメンバ支持軸に前記リンク機構を形成するリンクメンバを枢着した状態でこのヒンジ装置を単一のユニットとして取り扱うことができるからである。さらに、このようなものであれば、前記リンクメンバ支持軸に前記リンク機構を形成するリンクメンバを枢着した状態で、このヒンジ装置を単一の製品として流通させることもできる。
【００２５】
なお、「同一形状」とは、本発明では鏡面対称な形状をなすことをも含む。
【発明の効果】
【００２６】
本発明に係るヒンジ装置を採用すれば、保持機構の作用により所定の位置に保持することができるので、所定の位置に保持するための機構を取付対象物側に設ける必要がなくなる。すなわち、前記リンク機構を前記全閉姿勢をとる際の前記全閉姿勢から前記全開姿勢への移動方向と逆側に位置させていることとあわせて、このようなヒンジ装置により接続された２枚の戸板を有する扉等の取付対象物の外観を整えることができる。
【発明を実施するための最良の形態】
【００２７】
本実施形態に係るヒンジ装置１は、図１に示すような収納家具Ｆに用いられ、第１の取付対象物たる第１の戸板Ｆ１と第２の取付対象物たる第２の戸板Ｆ２とを接続する。
【００２８】
この収納家具Ｆは、前方に開口した収納空間を有する収納家具本体Ｆ３と、この収納家具本体Ｆ３に幅方向に延伸して設けられるレールＦ４と、このレールＦ４にスライド移動可能に支持される前記第１の戸板Ｆ１と、この第１の戸板Ｆ１にヒンジ装置１を介して接続される前記第２の戸板Ｆ２とを有する。
【００２９】
しかして、前記ヒンジ装置１は、図２に斜視図、図３の（ａ）に正面図、同図の（ｂ）に側面図、同図の（ｃ）に平面図、図４にはこのヒンジ装置１を第１の戸板Ｆ１及び前記第２の戸板Ｆ２に取り付け、全閉姿勢Ｓにした状態における図３のｘ−ｘ断面部分の図、図５にはこのヒンジ装置１を第１の戸板Ｆ１及び前記第２の戸板Ｆ２に取り付け、全開姿勢Ｏにした状態における図４に相当する図をそれぞれ示すように、前面が第１の戸板Ｆ１に当接可能な第１当接面２ａである第１取付部２と、前面が第２の戸板Ｆ２に当接可能な第２当接面３ａである第２取付部３と、第１当接面２ａと第２当接面３ａとがともに同一方向を向く全閉姿勢Ｓと第１当接面２ａと第２当接面３ａとが対向する全開姿勢Ｏとの間で前記第１取付部２及び第２取付部３を仮想中心の周りに回動可能に接続するリンク機構４とを具備する。前記リンク機構４は、前記全閉姿勢Ｓをとる場合に、前記第１取付部２及び第２取付部３に対して前記全閉姿勢Ｓから前記全開姿勢Ｏへの移動方向と逆となる側に位置させているとともに、該リンク機構４には、一部の動きが規制されることにより全体の動きが規制される構成を採用し、拘束連鎖としている。なお、前記図２、及び図３には全開姿勢Ｏにある状態の図のみを示している。また、前記図４の想像線には、全開姿勢Ｏにある状態の図を示している。さらに、第１の戸板Ｆ１及び第２の戸板Ｆ２をこのヒンジ装置１に取り付けた際に前記第１取付部２及び第２取付部３が全閉姿勢Ｓないし全開姿勢Ｏをとることを第１の戸板Ｆ１及び第２の戸板Ｆ２が全閉姿勢Ｓないし全開姿勢Ｏをとると記す。
【００３０】
さらに、このヒンジ装置１は、このリンク機構４の一部の動きを規制することにより該リンク機構４を所定位置に保持可能な保持機構５を具備する。
【００３１】
具体的には、前記第１取付部２は、閉止姿勢Ｓにおいて前記第２取付部３に向かう方向に開口するハウジング２１と、前記ハウジング２１に幅方向に離間して設けた第１及び第４リンクメンバ支持軸２２、２３とを有する。一方、前記第２取付部３は、閉止姿勢Ｓにおいて前記第１取付部２に向かう方向に開口するハウジング３１と、前記ハウジング３１に幅方向に離間して設けた第２及び第３リンクメンバ支持軸３２、３３とを有する。なお、前記全閉位置Ｓにおいて、幅方向中央部側に前記第４リンクメンバ支持軸２３及び前記第２リンクメンバ支持軸３２を配置している。また、これら第１取付部２及び第２取付部３は、本実施形態では同一の形状をなす。
【００３２】
前記リンク機構４は、第１〜第４リンクメンバ４１〜４４を、前記第１、第２取付部２、３の後方に取り付けて形成している。
【００３３】
具体的には、第１リンクメンバ４１は、その一端部を前記第１取付部２の第１リンクメンバ支持軸２２に枢着している。第２リンクメンバ４２は、その一端部を前記第２取付部３の第２リンクメンバ支持軸３２に枢着しているとともに、他端部を第１リンク軸４５を介して前記第１リンクメンバ４１の他端部に枢着している。第３リンクメンバ４３は、その一端部を前記第２取付部３の第３リンクメンバ支持軸３３に枢着している。第４リンクメンバは、その一端部を前記第１取付部２の第４リンクメンバ支持軸２３に枢着しているとともに、他端部を第２リンク軸４６を介して前記第３リンクメンバ４３の他端部に枢着している。さらに、前記第１取付部２と第２取付部３との離間を防ぎ、このリンク機構を拘束連鎖とすべく、前記第２及び第４リンクメンバ４２、４４の中間部を中間枢着軸４７を介して互いに枢着している。なお、本実施形態では、前記第１〜第４リンクメンバ４１〜４４自体に第２の戸板Ｆ２の自重を支持させ、別途第２の戸板Ｆ２の自重を支持するための機構を設ける必要をなくして外観を整えるようにすべく、前記第１〜第４リンクメンバ４１〜４４は、それぞれ単一の部品により構成される剛体であるとともに、前記第２の戸板Ｆ２の自重により変形しない程度の剛性を有するものとしている。
【００３４】
このリンク機構４は、中間枢着軸４７を通り、かつ前記第１取付部２と前記第２取付部３との中間を通る線Ｌ０に対称な平面形状をしている。そして、前記第１リンクメンバ４１と前記第３リンクメンバ４３とを同一の形状に形成しているとともに、前記第２リンクメンバ４２と第４リンクメンバ４４とも同一の形状に形成している。
【００３５】
一方、前記保持機構５は、本実施形態では、前記第１取付部２のハウジング２１に収納され、前記第１リンクメンバ４１の移動を規制し、前記第１の戸板Ｆ１及び第２の戸板Ｆ２を前記全閉姿勢Ｓ及び前記全開姿勢Ｏに保持するする第１リンクメンバ保持部５１と、前記第２取付部３のハウジング３１に収納され、前記第３リンクメンバ４３の移動を規制し、前記第１の戸板Ｆ１及び第２の戸板Ｆ２を前記全閉姿勢Ｓ及び前記全開姿勢Ｏに保持する第３リンクメンバ保持部５２とを有する。
【００３６】
前記第１リンクメンバ保持部５１は、前記第１リンクメンバ４１に形成したカム面４１ａと、前記第１の戸板Ｆ１及び第２の戸板Ｆ２を前記全閉姿勢Ｓ及び全開姿勢Ｏに付勢する付勢手段たるバネ５１１と、樹脂により形成されているとともに接し前記バネ５１１に接続され前記カム面４１ａに当接する当接面５１２ａを有する当接部５１２とを備えている。具体的には、前記当接部５１２は、前記バネ５１１により常時一定方向に付勢されている。一方、前記カム面４１ａには、前記第１の戸板Ｆ１及び第２の戸板Ｆ２が前記全閉姿勢Ｓをとる位置及び前記第１の戸板Ｆ１及び第２の戸板Ｆ２が前記全開姿勢Ｏをとる位置において、前記当接面５１２ａに面的に当接するようにすべく、前記全閉姿勢Ｓをとる位置に第１平面部４１ｂ、前記全開姿勢Ｏをとる位置に第２平面部４１ｃをそれぞれ形成している。
【００３７】
前記第３リンクメンバ保持部５２は、前記第１リンクメンバ保持部５１と同一の形状をなし、略同様の構成を有している。すなわち、前記第３リンクメンバ４３に形成したカム面４３ａと、前記第１の戸板Ｆ１及び第２の戸板Ｆ２を前記全閉姿勢Ｓ及び全開姿勢Ｏに付勢する付勢手段たるバネ５２１と、樹脂により形成されているとともに接し前記バネ５２１に接続され前記カム面４３ａに当接する当接面５２２ａを有する当接部５２２とを備えている。具体的には、前記当接部５２２は、前記バネ５２１により常時一定方向に付勢されている。一方、前記カム面４３ａには、前記第１の戸板Ｆ１及び第２の戸板Ｆ２が前記全閉姿勢Ｓをとる位置及び前記第１の戸板Ｆ１及び第２の戸板Ｆ２が前記全開姿勢Ｏをとる位置において、前記当接面５２２ａに面的に当接するようにすべく、前記全閉姿勢Ｓをとる位置に第１平面部４３ｂ、前記全開姿勢Ｏをとる位置に第２平面部４３ｃをそれぞれ形成している。
【００３８】
前記全閉姿勢Ｓにある際には、前記第１リンクメンバ４１及び前記第３リンクメンバ４３のカム面４１ａ、４３ａの第１平面部４１ｂ、４３ｂがそれぞれ当接面５１２ａ、５２２ａに当接している。前記全開姿勢Ｏに変化させるべく前記第２の戸板Ｆ２に操作力を加えると、前記当接部５１２、５２２を付勢しているバネ５１１、５２１が押し込まれ、前記全閉姿勢Ｓとなる位置に前記第２の戸板Ｆ２を誘導すべく、バネ５１１、５２１が前記当接部５１２，５２２を介して前記第１リンクメンバ４１及び前記第３リンクメンバ４３を付勢し、前記リンク機構４及び前記第２の戸板Ｆ２の移動を規制する。さらに操作力を加えると、図６に示すような前記第２の戸板３を４５度だけ移動させた状態、図７に示すような前記全閉姿勢Ｓと前記全開姿勢Ｏとの中間の姿勢をとる状態を順に経て、前記図５に示すような全開姿勢Ｏとなる。このとき、前記第１リンクメンバ４１及び前記第３リンクメンバ４３のカム面４１ａ、４３ａの第２平面部４１ｃ、４３ｃがそれぞれ当接面５１２ａ、５２２ａに当接し、前記バネ５１１、５２１の作用により前記リンク機構４及び前記第２の戸板Ｆ２の全閉姿勢Ｓに戻る方向の移動が規制される。
【００３９】
以上に述べたように第２の戸板Ｆ２を移動させると、第２取付部３はリンク機構４のリンクメンバの外側の部分を中心に回転移動する。すなわち、第２取付部３は仮想中心の周りに回転移動する。具体的には、前記図４に示すように、第２リンクメンバ支持軸３２は、前記第１の戸板Ｆ１及び前記第２の戸板Ｆ２近傍に位置する第１仮想中心Ｘ１を中心とし、円弧Ｌ１上を移動する。また、第３リンクメンバ支持軸３３は、前記第１の戸板Ｆ１及び前記第２の戸板Ｆ２近傍に位置する第２仮想中心Ｘ２を中心とし、円弧Ｌ２上を移動する。
【００４０】
すなわち本実施形態では、前記保持機構５は、前記第１取付部２に取り付けた第１の戸板Ｆ１、及び前記第２取付部３に取り付けた第２の戸板Ｆ２を、前記全閉姿勢Ｓ及び前記全開姿勢Ｏのいずれかに対応する位置に選択的に保持する機能を有する。
【００４１】
また、このヒンジ装置１は、中間枢着軸４７を通り、かつ前記第１取付部２と前記第２取付部３との中間を通る線Ｌ０に対称な平面形状を維持しつつ移動する。
【００４２】
本実施形態に係るヒンジ装置１は、以上に述べたように、保持機構５の作用により全閉姿勢Ｓ及び全開姿勢Ｏに保持されるので、第１及び第２の戸板Ｆ１、Ｆ２の外面側にこれらの戸板Ｆ１、Ｆ２を保持するための機構を設ける必要がなくなる。すなわち、前記リンク機構４を第１及び第２の戸板Ｆ１、Ｆ２の外面及び前記第１、第２取付部２、３よりも内方に取り付けていることとあわせて、このようなヒンジ装置１により接続された第１及び第２の戸板Ｆ１、Ｆ２を有する収納家具Ｆの外観を整えることができる。
【００４３】
また、前記保持機構５に、全閉姿勢Ｓ又は全開姿勢Ｏに向けて前記リンク機構４を付勢する付勢手段たるバネ５１１、５２１を備えているので、前記第１及び第２の戸板Ｆ１、Ｆ２を全閉姿勢Ｓ又は全開姿勢Ｏに効果的に保持することができる。
【００４４】
特に本実施形態では、前記全閉姿勢Ｓ又は全開姿勢Ｏからの移動を、リンク機構４を押圧することにより規制する機能を前記付勢手段５が有するので、前記リンク機構４及び第２の戸板Ｆ２の移動を前記バネ５１１、５２１の作用により規制し、前記第１及び第２の戸板Ｆ１、Ｆ２を全閉姿勢Ｓ又は全開姿勢Ｏに効果的に保持することができる。
【００４５】
前記リンク機構４にカム面４１ａ、４３ａを形成しているとともに、前記バネ５１１、５２１に接続されていて、前記カム面４１ａ、４３ａに当接することにより全閉姿勢Ｓ及び全開姿勢Ｏに前記第１及び第２の戸板Ｆ１、Ｆ２を誘導ないし保持する当接部５１１、５１２をさらに有するので、上述したような付勢手段を容易に実現できる。
【００４６】
特に本実施形態では、前記当接部５１１、５１２が平面状の当接面５１１ａ、５１２ａを有するとともに、前記カム面４１ａ、４３ａには前記当接面５１１ａ、５１２ａに面的に当接可能な第１平面部４１ｂ、４３ｂ及び第２平面部４１ｃ、４３ｃを形成しているので、全閉姿勢Ｓないし全開姿勢Ｏにある場合に前記第１平面部４１ｂ、４３ｂないし第２平面部４１ｃ、４３ｃが前記当接面５１１ａ、５１２ａに面的に当接し、従って上述したバネ５１１、５２１による作用を効果的に前記リンク機構４に伝えることができる。
【００４７】
リンク機構４の前記第２、第４リンクメンバ４２、４４の中間部を互いに中間枢着軸４７を介して枢着しているので、第１の戸板Ｆ１と第２の戸板Ｆ２との離間を防ぎ、簡単な構成により拘束連鎖を可能にしている。
【００４８】
前記保持機構５が前記第１リンクメンバ４１の移動を規制し、前記全閉姿勢Ｓ及び前記全開姿勢Ｏに保持するする第１リンクメンバ保持部５１と、前記第３リンクメンバ４３の移動を規制し、前記全閉姿勢Ｓ及び前記全開姿勢Ｏに保持する第３リンクメンバ保持部５２とを有するので、前記保持機構５により第１、第２の戸板Ｆ１、Ｆ２をさらに効果的に前記全閉姿勢Ｓ及び前記全開姿勢Ｏにさらに効果的に保持することができる。
【００４９】
前記全閉姿勢Ｓにおいて、第１取付部２及び第２取付部３の全体を、それぞれ第１の戸板Ｆ１及び第２の戸板Ｆ２の厚さ寸法内に位置させているので、全閉位置Ｓにおいてヒンジ機構１を第１の戸板Ｆ１及び第２の戸板Ｆ２により隠蔽することができ、従って外観をさらに効果的に整えることができる。
【００５０】
加えて、前記第１取付部２及び前記第２取付部３、前記第１リンクメンバ４１及び前記第３リンクメンバ４３、前記第２リンクメンバ４２及び前記第４リンクメンバ４４、前記第１リンクメンバ保持部５１及び前記第３リンクメンバ保持部５２をそれぞれ同一形状とし、中間枢着軸４７を通り、かつ前記第１取付部２と前記第２取付部３との中間を通る線Ｌ０に対称な平面形状を維持しつつ移動するようにしているので、設計を単純にし、さらなるコストダウンを図ることができる。
【００５１】
そして、第１リンクメンバ保持部５１を前記第１取付部２のハウジング２１に、第３リンクメンバ保持部５２を前記第２取付部３のハウジング３１にそれぞれ収納しているので、このヒンジ装置１を単一のユニットとして取り扱うことができ、第１の戸板Ｆ１及び第２の戸板Ｆ２に容易に取り付けることができるとともに、このヒンジ装置１を単一の製品として流通させることができる。
【００５２】
なお、本発明は以上に述べた実施形態に限られない。
【００５３】
例えば、保持機構は前記第１リンクメンバのみを保持するように構成してもよい。
【００５４】
また、前記全閉姿勢及び前記全開姿勢のみでなく、例えばそのちょうど中間の半開姿勢に保持可能に前記保持機構を構成してもよい。
【００５５】
さらに、保持機構に他の構成を採用してもよい。例えば、前記第１リンクメンバ又は前記第３リンクメンバのいずれかに係合凹部を形成するとともに、取付部側に前記係合凹部と弾性係合可能な弾性係止片を形成し、これら係合凹部と弾性係止片との凹凸係合により全閉位置や全開位置等の所定位置に係止可能に構成してもよい。
【００５６】
加えて、上述した実施形態におけるバネに代表される付勢手段によりリンク機構４に作用を加え、前記全閉姿勢Ｓ又は全開姿勢Ｏに向かう移動を促すようにしてもよい。このように構成すれば、前記付勢手段の作用により、全閉姿勢により近い状態であれば全閉姿勢に、全開姿勢により近い状態であれば全開姿勢に向けて前記第２の戸板Ｆ２を誘導し、この第２の戸板Ｆ２の移動にクリック感を与えることができるようになる。
【００５７】
そして、このようなヒンジ装置は、戸板以外の取付対象物に取り付けるようにしてもよい。
【図面の簡単な説明】
【００５８】
【図１】本発明の一実施形態に係るヒンジ装置を有する収納家具を示す図。
【図２】同実施形態に係るヒンジ装置の全開姿勢を示す斜視図。
【図３】同実施形態に係るヒンジ装置の全開姿勢を示す正面図、側面図、及び平面図。
【図４】同実施形態に係るヒンジ装置の全閉姿勢における図３のｘ−ｘ断面部分を示す図。
【図５】同実施形態に係るヒンジ装置の動作を示す図。
【図６】同実施形態に係るヒンジ装置の動作を示す図。
【図７】同実施形態に係るヒンジ装置の動作を示す図。
【符号の説明】
【００５９】
１…ヒンジ装置
２…第１取付部
３…第２取付部
４…リンク機構
４１〜４４…第１〜第４リンクメンバ
４１ａ、４３ａ…カム面
４１ｂ、４３ｂ…第１平面部
４１ｃ、４３ｃ…第２平面部
５…保持機構
５１…第１リンクメンバ保持部
５２…第３リンクメンバ保持部
５１１、５２１…バネ（付勢手段）
５１２、５２２…当接部
５１２ａ、５２２ａ…当接面
Ｆ１…第１の戸板（第１の取付対象物）
Ｆ２…第２の戸板（第２の取付対象物）
【図１】
2005264631.tif 000003
【図２】
2005264631.tif 000004
【図３】
2005264631.tif 000005
【図４】
2005264631.tif 000006
【図５】
2005264631.tif 000007
【図６】
2005264631.tif 000008
【図７】
2005264631.tif 000009